(57)【要約】【課題】記録ヘッドへの電力供給制御において、記録ヘッドの耐久性を向上させる。【解決手段】本発明の記録装置は、電源から記録ヘッドへの電力の供給を制御する電力制御手段と、印刷ジョブから印刷設定を取得する取得手段と、印刷設定から導出される搬送時間に応じて、タイムアウト時間を設定する設定手段とを備え、搬送時間は、記録を伴う搬送に要する時間を含み、電力制御手段は、電力が供給されてからの時間がタイムアウト時間を超過すると、記録ヘッドへの電力の供給を停止するように制御する。【選択図】図８
2020059148.tif 000002
【特許請求の範囲】
【請求項１】
電源から記録ヘッドへの電力の供給を制御する電力制御手段と、
印刷ジョブから印刷設定を取得する取得手段と、
前記印刷設定から導出される搬送時間に応じて、タイムアウト時間を設定する設定手段と
を備え、
前記搬送時間は、記録を伴う搬送に要する時間を含み、
前記電力制御手段は、前記電力が供給されてからの時間が前記タイムアウト時間を超過すると、前記記録ヘッドへの電力の供給を停止するように制御することを特徴とする記録装置。
【請求項２】
前記設定手段は、
前記印刷設定から単位枚数の搬送時間を算出する算出手段を有し、
前記単位枚数の搬送時間に応じて、前記タイムアウト時間を設定することを特徴とする請求項１に記載の記録装置。
【請求項３】
前記記録装置において設定可能な印刷設定の各々に、当該印刷設定から導出される搬送時間に応じて設定したタイムアウト時間を関連付けて記憶する記憶手段をさらに備え、
前記設定手段は、前記記憶手段において前記取得した印刷設定に関連付けられたタイムアウト時間を抽出し、前記タイムアウト時間として設定することを特徴とする請求項１に記載の記録装置。
【請求項４】
前記タイムアウト時間は、前記電力を前記記録ヘッドに連続して供給可能な上限時間であることを特徴とする請求項１から３のいずれか１項に記載の記録装置。
【請求項５】
前記取得手段は、前記印刷設定として、給紙口設定、最大用紙サイズ、印刷品位に関する情報の少なくともいずれかを取得することを特徴とする請求項１から４のいずれか１項に記載の記録装置。
【請求項６】
前記設定手段は、前記印刷設定に、搬送路距離、搬送速度、印刷品位の安定化制御に関する情報の少なくともいずれかを組み合わせて、前記タイムアウト時間を設定することを特徴とする請求項１から５のいずれか１項に記載の記録装置。
【請求項７】
前記搬送路距離は、給紙口毎、片面又は両面印刷設定の少なくともいずれかによって異なることを特徴とする請求項６に記載の記録装置。
【請求項８】
前記搬送速度は、記録時の静音化を目的としたサイレントモードに関する設定、用紙の搬送精度を補正する搬送パラメータの少なくともいずれかによって決定されることを特徴とする請求項６又は７に記載の記録装置。
【請求項９】
前記印刷品位の安定化制御に関する情報は、用紙の変形を抑制するための制御、印刷デューティから用紙を搬送する速度を変更する制御の少なくともいずれかに関する情報を含むことを特徴とする請求項６から８のいずれか１項に記載の記録装置。
【請求項１０】
前記搬送時間において、前記記録ヘッドの温度を所定の温度に保温する保温制御手段をさらに備えることを特徴とする請求項１から９のいずれか１項に記載の記録装置。
【請求項１１】
記録装置における制御方法であって、
印刷ジョブから印刷設定を取得する取得ステップと、
前記印刷設定から導出される搬送時間に応じて、タイムアウト時間を設定する設定ステップと、
電源から記録ヘッドに電力が供給されてからの時間が前記タイムアウト時間を超過すると、前記記録ヘッドへの電力の供給を停止するように制御する電力制御ステップと
を有し、
前記搬送時間は、記録を伴う搬送に要する時間を含むことを特徴とする記録装置の制御方法。
【請求項１２】
コンピュータに、請求項１１に記載の制御方法の各ステップを実行させるためのプログラム。
【発明の詳細な説明】
【技術分野】
【０００１】
本発明は、記録装置、記録装置の制御方法、及びプログラムに関する。
【背景技術】
【０００２】
インクジェット記録装置では、多数のノズルを備える記録ヘッドから記録媒体にインクを吐出することで記録を行う。このインクジェット記録装置では、記録ヘッドにおいてインクが適切に吐出されるように、ノズル近傍の温度を調整しているが、このとき、同時に電力も消費することになる。
【０００３】
そこで、記録ヘッドへの電力供給のオン又はオフの切り替えを制御する所定のスィッチング素子を実装し、記録ヘッドで電力が必要とされるとき（消費されるとき）にのみ電力供給をオンに制御し、不必要とされるときにはオフに制御している。即ち、インクジェット記録装置において、記録ヘッドへの不要な負荷電流をかけないように制御している。
【０００４】
また、電力供給を制御する技術として、接続不良の状態で記録ヘッドに電力が供給されることに起因する異常過熱を防止又は抑制するために、一意に設定された所定時間以上、通電状態が継続すると、電力供給を停止する技術が開示されている（特許文献１）。
【先行技術文献】
【特許文献】
【０００５】
【特許文献１】特開２０１１−２０６９５０号公報
【発明の概要】
【発明が解決しようとする課題】
【０００６】
ここで、記録ヘッドを記録媒体の搬送方向に記録媒体の幅に対応させて配置したラインヘッド構成を有するインクジェット記録装置においては、１枚の記録媒体に記録している間は、電力供給をオン状態にする必要がある。
【０００７】
この場合、記録媒体（印刷用紙）のサイズや印刷設定によって電力を供給する時間は異なり、通電時間の最大と最小でその差が大きくなる。そのため、特許文献１のようにタイムアウト時間を一意に設定すると、不要な負荷電流をかけることになり、記録ヘッドの劣化を早める恐れがある。
【０００８】
本発明は、前記従来の問題に鑑みてなされたものであって、その目的は、記録ヘッドへの電力供給制御において、記録ヘッドの耐久性を向上させることである。
【課題を解決するための手段】
【０００９】
本発明の記録装置は、電源から記録ヘッドへの電力の供給を制御する電力制御手段と、印刷ジョブから印刷設定を取得する取得手段と、前記印刷設定から導出される搬送時間に応じて、タイムアウト時間を設定する設定手段とを備え、前記搬送時間は、記録を伴う搬送に要する時間を含み、前記電力制御手段は、前記電力が供給されてからの時間が前記タイムアウト時間を超過すると、前記記録ヘッドへの電力の供給を停止するように制御することを特徴とする。
【発明の効果】
【００１０】
本発明によれば、記録ヘッドへの電力供給制御において、記録ヘッドの耐久性を向上させることができる。
【図面の簡単な説明】
【００１１】
【図１】記録装置が待機状態にあるときの図である。
【図２】記録装置の制御構成図である。
【図３】記録装置が記録状態にあるときの図である。
【図４】（ａ）〜（ｃ）は、第１カセットから給送された記録媒体の搬送経路図である。
【図５】（ａ）〜（ｃ）は、第２カセットから給送された記録媒体の搬送経路図である。
【図６】（ａ）〜（ｄ）は、記録媒体の裏面に記録動作を行う場合の搬送経路図である。
【図７】電源ユニットから各ユニットに供給される電力の系統を示す図である。
【図８】電力供給タイムアウト時間を設定する処理の手順を示すフローチャートである。
【図９】電力供給タイムアウト時間を設定するためのパラメータテーブルである。
【発明を実施するための形態】
【００１２】
以下、図面を参照して、本発明の実施形態に係る記録装置について説明する。なお、以下の実施形態は、本発明を限定するものではなく、また、本実施形態で説明されている特徴の組み合わせの全てが本発明の解決手段に必須のものとは限らない。
【００１３】
図１は、本実施形態で使用するインクジェット記録装置１（以下、記録装置１）の内部構成図である。図において、ｘ方向は水平方向、ｙ方向（紙面垂直方向）は後述する記録ヘッド８において吐出口が配列される方向、ｚ方向は鉛直方向をそれぞれ示す。
【００１４】
記録装置１は、プリント部２とスキャナ部３を備える複合機であり、記録動作と読取動作に関する様々な処理を、プリント部２とスキャナ部３で個別にあるいは連動して実行することができる。スキャナ部３は、ＡＤＦ（オートドキュメントフィーダ）とＦＢＳ（フラットベッドスキャナ）を備えており、ＡＤＦによって自動給紙される原稿の読み取りと、ユーザによってＦＢＳの原稿台に置かれた原稿の読み取り（スキャン）を行うことができる。なお、本実施形態はプリント部２とスキャナ部３を併せ持った複合機であるが、スキャナ部３を備えない形態であってもよい。図１は、記録装置１が記録動作も読取動作も行っていない待機状態にあるときを示す。
【００１５】
プリント部２において、筐体４の鉛直方向下方の底部には、記録媒体（カットシート）Ｓを収容するための第１カセット５Ａと第２カセット５Ｂが着脱可能に設置されている。第１カセット５ＡにはＡ４サイズまでの比較的小さな記録媒体が、第２カセット５ＢにはＡ３サイズまでの比較的大きな記録媒体が、平積みに収容されている。第１カセット５Ａ近傍には、収容されている記録媒体を１枚ずつ分離して給送するための第１給送ユニット６Ａが設けられている。同様に、第２カセット５Ｂ近傍には、第２給送ユニット６Ｂが設けられている。記録動作が行われる際にはいずれか一方のカセットから選択的に記録媒体Ｓが給送される。
【００１６】
搬送ローラ７、排出ローラ１２、ピンチローラ７ａ、拍車７ｂ、ガイド１８、インナーガイド１９およびフラッパ１１は、記録媒体Ｓを所定の方向に導くための搬送機構である。搬送ローラ７は、記録ヘッド８の上流側及び下流側に配され、不図示の搬送モータによって駆動される駆動ローラである。ピンチローラ７ａは、搬送ローラ７と共に記録媒体Ｓをニップして回転する従動ローラである。排出ローラ１２は、搬送ローラ７の下流側に配され、不図示の搬送モータによって駆動される駆動ローラである。拍車７ｂは、記録ヘッド８の下流側に配される搬送ローラ７及び排出ローラ１２と共に記録媒体Ｓを挟持して搬送する。
【００１７】
ガイド１８は、記録媒体Ｓの搬送経路に設けられ、記録媒体Ｓを所定の方向に案内する。インナーガイド１９は、ｙ方向に延在する部材で湾曲した側面を有し、当該側面に沿って記録媒体Ｓを案内する。フラッパ１１は、両面記録動作の際に、記録媒体Ｓが搬送される方向を切り替えるための部材である。排出トレイ１３は、記録動作が完了し排出ローラ１２によって排出された記録媒体Ｓを積載保持するためのトレイである。
【００１８】
本実施形態の記録ヘッド８は、フルラインタイプのカラーインクジェット記録ヘッドであり、記録データに従ってインクを吐出する吐出口が、図１におけるｙ方向に沿って記録媒体Ｓの幅に相当する分だけ複数配列されている。即ち、記録ヘッド８は、複数色のインクを吐出可能に構成されている。記録ヘッド８が待機位置にあるとき、記録ヘッド８の吐出口面８ａは、図１のように鉛直下方を向き、キャップユニット１０によってキャップされている。記録動作を行う際は、後述するプリントコントローラ２０２によって、吐出口面８ａがプラテン９と対向するように記録ヘッド８の向きが変更される。プラテン９は、ｙ方向に延在する平板によって構成され、記録ヘッド８によって記録動作が行われる記録媒体Ｓを背面から支持する。記録ヘッド８の待機位置から記録位置への移動については、後に詳しく説明する。
【００１９】
インクタンクユニット１４は、記録ヘッド８へ供給される４色のインクをそれぞれ貯留する。インク供給ユニット１５は、インクタンクユニット１４と記録ヘッド８を接続する流路の途中に設けられ、記録ヘッド８内のインクの圧力及び流量を適切な範囲に調整する。本実施形態では循環型のインク供給系を採用しており、インク供給ユニット１５は記録ヘッド８へ供給されるインクの圧力と記録ヘッド８から回収されるインクの流量を適切な範囲に調整する。
【００２０】
図２は、記録装置１における制御構成を示すブロック図である。制御構成は、主にプリント部２を統括するプリントエンジンユニット２００と、スキャナ部３を統括するスキャナエンジンユニット３００と、記録装置１全体を統括するコントローラユニット１００によって構成されている。プリントコントローラ２０２は、コントローラユニット１００のメインコントローラ１０１の指示に従ってプリントエンジンユニット２００の各種機構を制御する。スキャナエンジンユニット３００の各種機構は、コントローラユニット１００のメインコントローラ１０１によって制御される。以下に制御構成の詳細について説明する。
【００２１】
コントローラユニット１００において、ＣＰＵにより構成されるメインコントローラ１０１は、ＲＯＭ１０７に記憶されているプログラムや各種パラメータに従って、ＲＡＭ１０６をワークエリアとしながら記録装置１全体を制御する。例えば、ホストＩ／Ｆ１０２またはワイヤレスＩ／Ｆ１０３を介してホスト装置４００から印刷ジョブが入力されると、メインコントローラ１０１の指示に従って、画像処理部１０８が受信した画像データに対して所定の画像処理を施す。そして、メインコントローラ１０１はプリントエンジンＩ／Ｆ１０５を介して、画像処理を施した画像データをプリントエンジンユニット２００へ送信する。
【００２２】
なお、記録装置１は無線通信や有線通信を介してホスト装置４００から画像データを取得しても良いし、記録装置１に接続された外部記憶装置（ＵＳＢメモリ等）から画像データを取得しても良い。無線通信や有線通信に利用される通信方式は限定されない。例えば、無線通信に利用される通信方式として、Ｗｉ−Ｆｉ（Ｗｉｒｅｌｅｓｓ  Ｆｉｄｅｌｉｔｙ）（登録商標）やＢｌｕｅｔｏｏｔｈ（登録商標）が適用可能である。また、有線通信に利用される通信方式としては、ＵＳＢ（Ｕｎｉｖｅｒｓａｌ  Ｓｅｒｉａｌ  Ｂｕｓ）等が適用可能である。また、例えばホスト装置４００から読取コマンドが入力されると、メインコントローラ１０１は、スキャナエンジンＩ／Ｆ１０９を介してこのコマンドをスキャナ部３に送信する。
【００２３】
操作パネル１０４は、ユーザが記録装置１に対して入出力を行うための機構である。ユーザは、操作パネル１０４を介してコピーやスキャン等の動作を指示したり、印刷モードを設定したり、記録装置１の情報を認識したりすることができる。
【００２４】
プリントエンジンユニット２００において、ＣＰＵにより構成されるプリントコントローラ２０２は、ＲＯＭ２０３に記憶されているプログラムや各種パラメータに従って、ＲＡＭ２０４をワークエリアとしながら、プリント部２が備える各種機構を制御する。コントローラＩ／Ｆ２０１を介して各種コマンドや画像データが受信されると、プリントコントローラ２０２は、これを一旦ＲＡＭ２０４に保存する。記録ヘッド８が記録動作に利用できるように、プリントコントローラ２０２は画像処理コントローラ２０５に、保存した画像データを記録データへ変換させる。記録データが生成されると、プリントコントローラ２０２は、ヘッドＩ／Ｆ２０６を介して記録ヘッド８に記録データに基づく記録動作を実行させる。この際、プリントコントローラ２０２は、搬送制御部２０７を介して図１に示す給送ユニット６Ａ、６Ｂ、搬送ローラ７、排出ローラ１２、フラッパ１１を駆動して、記録媒体Ｓを搬送する。プリントコントローラ２０２の指示に従って、記録媒体Ｓの搬送動作に連動して記録ヘッド８による記録動作が実行され、印刷処理が行われる。
【００２５】
ヘッドキャリッジ制御部２０８は、記録装置１のメンテナンス状態や記録状態といった動作状態に応じて記録ヘッド８の向きや位置を変更する。インク供給制御部２０９は、記録ヘッド８へ供給されるインクの圧力が適切な範囲に収まるように、インク供給ユニット１５を制御する。メンテナンス制御部２１０は、記録ヘッド８に対するメンテナンス動作を行う際に、メンテナンスユニット１６におけるキャップユニット１０やワイピングユニット１７の動作を制御する。
【００２６】
スキャナエンジンユニット３００においては、メインコントローラ１０１が、ＲＯＭ１０７に記憶されているプログラムや各種パラメータに従って、ＲＡＭ１０６をワークエリアとしながら、スキャナコントローラ３０２のハードウェアリソースを制御する。これにより、スキャナ部３が備える各種機構は制御される。例えばコントローラＩ／Ｆ３０１を介してメインコントローラ１０１がスキャナコントローラ３０２内のハードウェアリソースを制御することにより、ユーザによってＡＤＦに搭載された原稿を、搬送制御部３０４を介して搬送し、センサ３０５によって読み取る。そして、スキャナコントローラ３０２は読み取った画像データをＲＡＭ３０３に保存する。なお、プリントコントローラ２０２は、上述のように取得された画像データを記録データに変換することで、記録ヘッド８に、スキャナコントローラ３０２で読み取った画像データに基づく記録動作を実行させることが可能である。
【００２７】
図３は、記録装置１が記録状態にあるときを示す。図１に示した待機状態と比較すると、キャップユニット１０が記録ヘッド８の吐出口面８ａから離間し、吐出口面８ａがプラテン９と対向している。本実施形態において、プラテン９の平面は水平方向に対して約４５度傾いており、記録位置における記録ヘッド８の吐出口面８ａも、プラテン９との距離が一定に維持されるように水平方向に対して約４５度傾いている。
【００２８】
記録ヘッド８を図１に示す待機位置から図３に示す記録位置に移動する際、プリントコントローラ２０２は、メンテナンス制御部２１０を用いて、キャップユニット１０を図３に示す退避位置まで降下させる。これにより、記録ヘッド８の吐出口面８ａは、キャップ部材１０ａと離間する。その後、プリントコントローラ２０２は、ヘッドキャリッジ制御部２０８を用いて記録ヘッド８の鉛直方向の高さを調整しながら４５度回転させ、吐出口面８ａをプラテン９と対向させる。記録動作が完了し、記録ヘッド８が記録位置から待機位置に移動する際は、プリントコントローラ２０２によって上記と逆の工程が行われる。
【００２９】
次に、プリント部２における記録媒体Ｓの搬送経路について説明する。記録コマンドが入力されると、プリントコントローラ２０２は、まず、メンテナンス制御部２１０およびヘッドキャリッジ制御部２０８を用いて、記録ヘッド８を図３に示す記録位置に移動する。その後、プリントコントローラ２０２は搬送制御部２０７を用い、記録コマンドに従って第１給送ユニット６Ａおよび第２給送ユニット６Ｂのいずれかを駆動し、記録媒体Ｓを給送する。
【００３０】
図４（ａ）〜（ｃ）は、第１カセット５Ａに収容されているＡ４サイズの記録媒体Ｓが給送されるときの搬送経路を示す図である。第１カセット５Ａ内の１番上に積載された記録媒体Ｓは、第１給送ユニット６Ａによって２枚目以降の記録媒体から分離され、搬送ローラ７とピンチローラ７ａにニップされながら、プラテン９と記録ヘッド８の間の記録領域Ｐに向けて搬送される。図４（ａ）は、記録媒体Ｓの先端が記録領域Ｐに到達する直前の搬送状態を示す。記録媒体Ｓの進行方向は、第１給送ユニット６Ａに給送されて記録領域Ｐに到達する間に、水平方向（ｘ方向）から、水平方向に対して約４５度傾いた方向に変更される。
【００３１】
記録領域Ｐでは、記録ヘッド８に設けられた複数の吐出口から記録媒体Ｓに向けてインクが吐出される。インクが付与される領域の記録媒体Ｓは、プラテン９によってその背面が支持されており、吐出口面８ａと記録媒体Ｓの距離が一定に保たれている。インクが付与された後の記録媒体Ｓは、搬送ローラ７と拍車７ｂに案内されながら、先端が右に傾いているフラッパ１１の左側を通り、ガイド１８に沿って記録装置１の鉛直方向上方へ搬送される。図４（ｂ）は、記録媒体Ｓの先端が記録領域Ｐを通過して鉛直方向上方に搬送される状態を示す。記録媒体Ｓの進行方向は、水平方向に対し約４５度傾いた記録領域Ｐの位置から、搬送ローラ７と拍車７ｂによって鉛直方向上方に変更されている。
【００３２】
記録媒体Ｓは、鉛直方向上方に搬送された後、排出ローラ１２と拍車７ｂによって排出トレイ１３に排出される。図４（ｃ）は、記録媒体Ｓの先端が排出ローラ１２を通過して排出トレイ１３に排出される状態を示す。排出された記録媒体Ｓは、記録ヘッド８によって画像が記録された面を下にした状態で、排出トレイ１３上に保持される。
【００３３】
図５（ａ）〜（ｃ）は、第２カセット５Ｂに収容されているＡ３サイズの記録媒体Ｓが給送されるときの搬送経路を示す図である。第２カセット５Ｂ内の１番上に積載された記録媒体Ｓは、第２給送ユニット６Ｂによって２枚目以降の記録媒体から分離され、搬送ローラ７とピンチローラ７ａにニップされながら、プラテン９と記録ヘッド８の間の記録領域Ｐに向けて搬送される。
【００３４】
図５（ａ）は、記録媒体Ｓの先端が記録領域Ｐに到達する直前の搬送状態を示す。第２給送ユニット６Ｂに給送されて記録領域Ｐに到達するまでの搬送経路には、複数の搬送ローラ７とピンチローラ７ａおよびインナーガイド１９が配されることで、記録媒体ＳはＳ字上に湾曲されてプラテン９まで搬送される。
【００３５】
その後の搬送経路は、図４（ｂ）および（ｃ）で示したＡ４サイズの記録媒体Ｓの場合と同様である。図５（ｂ）は、記録媒体Ｓの先端が記録領域Ｐを通過して鉛直方向上方に搬送される状態を示す。図５（ｃ）は、記録媒体Ｓの先端が排出ローラ１２を通過して排出トレイ１３に排出される状態を示す。
【００３６】
図６（ａ）〜（ｄ）は、Ａ４サイズの記録媒体Ｓの裏面（第２面）に対して記録動作（両面記録）を行う場合の搬送経路を示す。両面記録を行う場合、第１面（表面）を記録した後に第２面（裏面）に記録動作を行う。第１面を記録する際の搬送工程は図４（ａ）〜（ｃ）と同様であるので、ここでは説明を省略する。以後、図４（ｃ）以後の搬送工程について説明する。
【００３７】
記録ヘッド８による第１面への記録動作が完了し、記録媒体Ｓの後端がフラッパ１１を通過すると、プリントコントローラ２０２は、搬送ローラ７を逆回転させて記録媒体Ｓを記録装置１の内部へ搬送する。この際、フラッパ１１は、不図示のアクチュエータによってその先端が左側に傾くように制御されるため、記録媒体Ｓの先端（第１面の記録動作における後端）はフラッパ１１の右側を通過して鉛直方向下方へ搬送される。図６（ａ）は、記録媒体Ｓの先端（第１面の記録動作における後端）が、フラッパ１１の右側を通過する状態を示す。
【００３８】
その後記録媒体Ｓは、インナーガイド１９の湾曲した外周面に沿って搬送され、再び記録ヘッド８とプラテン９の間の記録領域Ｐに搬送される。この際、記録ヘッド８の吐出口面８ａに、記録媒体Ｓの第２面が対向する。図６（ｂ）は、第２面の記録動作のために、記録媒体Ｓの先端が記録領域Ｐに到達する直前の搬送状態を示す。
【００３９】
その後の搬送経路は、図４（ｂ）および（ｃ）で示した第１面記録の場合と同様である。図６（ｃ）は、記録媒体Ｓの先端が記録領域Ｐを通過して鉛直方向上方に搬送される状態を示す。この際、フラッパ１１は、不図示のアクチュエータにより先端が右側に傾いた位置に移動するように制御される。図６（ｄ）は、記録媒体Ｓの先端が排出ローラ１２を通過して排出トレイ１３に排出される状態を示す。
【００４０】
なお、補足として、記録装置１では、記録ヘッド８の吐出口からインクを吐出するために、吐出口内に配置されたヒータボードに電力を印加し、発生する熱エネルギーを用いてインクを吐出するサーマルインクジェット方式を採用している。また、記録ヘッド８には、吐出口近傍の温度を制御するためのサブヒータが複数配置されており、インクの吐出を安定させるために吐出口近傍の温度を設定温度に保つように制御される。その他、記録ヘッド８のクリーニング動作を行う場合等にも、同様に保温制御が行われる。
【００４１】
以下、上述の基本構成を踏まえ、好適な実施形態について説明する。図７は、電源ユニットから各ユニット（コントローラユニット９００、プリントエンジンユニット９４０、スキャナエンジンユニット（不図示））に供給される電力の系統を示す図である。なお、図７のコントローラユニット９００は図２のコントローラユニット１００に、図７のプリントエンジンユニット９４０は図２のプリントエンジンユニット２００に各々、対応している。また、図７の第１画像処理コントローラユニット９１０、第２画像処理コントローラユニット９２０は図２の画像処理コントローラ２０５に対応している。さらに、図７のＲＯＭ９１７、ＲＯＭ９２７は図２のＲＯＭ２０３、図７のＲＡＭ９１８、ＲＡＭ９２８は図２のＲＡＭ２０４に各々、対応している。その他、図７の記録制御コントローラ９３０は、図２において不図示である。
【００４２】
電源ユニット１０５１は、不図示の商用電源から供給される電力を記録装置１の動作用電源として供給する。具体的には、電源ユニット１０５１は、図７に示されるように、電源ＶＣ、ＶＭ、ＶＨの３系統で供給する。
【００４３】
電源ＶＣは、常夜電源であり、商用電源から電源が供給される間、出力される。電源ＶＣは、メインコントローラＡＳＩＣ１００１の動作用電源として使用される。メインコントローラＡＳＩＣ１００１は、記録装置１の全ての動作モードにおいて通電状態で動作し、省電力モードへの移行、省電力モードからの復帰時にプリントエンジンユニット９４０の電源状態と電源の遮断状態を解除するリセットを制御する。
【００４４】
なお、省電力モードとは、本実施形態の記録装置のような電子機器において、一般に行われているモードである。例えば、記録装置において、印刷ジョブの待ち状態にあるとき、印刷制御部等の使用していない部分の電源をオフし、省電力状態とする。省電力モードの状態で印刷ジョブを受けると、直ちに通常動作状態に復帰させることができる。このように、電源の状態を遷移させることによって、省電力化を図ることができる。
【００４５】
電源ＶＭは、プリントエンジンユニットに供給される。より詳細には、電源ＶＭは、電源ＶＭ＿ＳＷとして第１画像処理コントローラ及び第２画像処理コントローラに供給され、電源ＶＭ＿ＳＷ＿１として記録制御コントローラに供給される。
【００４６】
電源ＶＨは、電源ＶＨ＿ＳＷとして記録ヘッド８に供給される。以下、電源ＶＨ＿ＳＷに関して、説明を補足する。電源ＶＨ＿ＳＷは、記録ヘッド８内部に供給する電源である。第２画像処理コントローラＡＳＩＣ１０２１は、Ｐ２０端子から出力するＨ＿ＶＨ＿ＯＮ信号によりＦＥＴ１０４３をスイッチング制御することで、電源ＶＨ＿ＳＷをオン又はオフに制御する。
【００４７】
具体的には、第２画像処理コントローラユニット９２０は、Ｈ＿ＶＨ＿ＯＮ信号をＨｉｇｈレベルに制御することで電源ＶＨ＿ＳＷをオン、Ｌｏｗレベルに制御することで電源ＶＨ＿ＳＷをオフにする。このように、電源ＶＨ＿ＳＷを制御することにより（電力制御を行うことにより）、インクの吐出制御や吐出口近傍の保温制御が不必要なときには電力を供給せず、必要なときにだけ電力を供給する。
【００４８】
また、第２画像処理コントローラユニット９２０は、電源（ＶＨ＿ＳＷ）ラインの電圧値を監視するためのモニタ端子（不図示）を備えており、電源ＶＨ＿ＳＷのオン時又はオフ時に設定された電圧値を満たしているかを監視する。
【００４９】
さらに、第２画像処理コントローラユニット９２０は、電源ＶＨ＿ＳＷを連続してオン状態とすることが可能な上限時間（即ち、電力を継続して供給可能な上限時間）を、第１の電力供給タイムアウト時間として設定する手段を備える。なお、第１の電力供給タイムアウト時間は、第２画像処理コントローラユニット９２０のＲＯＭ９２７に記憶されている。
【００５０】
加えて、第２画像処理コントローラユニット９２０はＲＡＭ９２８領域に所定の周期でカウントアップするカウンタを備え、第２画像処理コントローラＡＳＩＣ１０２１は、電源ＶＨ＿ＳＷがオン状態にあるときに、カウンタを継続してカウントアップさせる。また、第２画像処理コントローラＡＳＩＣ１０２１は、電源ＶＨ＿ＳＷがオフ状態になると、カウンタをクリアする。これらにより、電源ＶＨ＿ＳＷのオン状態が継続する場合に、第１の電力供給タイムアウト時間を超過したかを判定する。
【００５１】
なお、第１の電力供給タイムアウト時間を超えて電力を使用する場合、第２画像処理コントローラＡＳＩＣ１０２１は、一旦、電力供給状態（電源ＶＨ＿ＳＷ）をオフ状態とした後に、再度オン状態に切り替えて使用する。また、例えば、記録ヘッド８のクリーニング制御（動作）や記録が開始される前の保温制御等の制御において、この第１の電力供給タイムアウト時間が適用される。
【００５２】
但し、記録する場合、即ち、記録媒体に対してインクを吐出する場合、１枚単位の記録にかかる時間が第１の電力供給タイムアウト時間よりも長くなり、記録が第１の電力供給タイムアウト時間内に完了しないことがある。そこで、第１の電力供給タイムアウト時間よりも長い、第２の電力供給タイムアウト時間を設定する。
【００５３】
この第２の電力供給タイムアウト時間は、記録装置１が提供している印刷設定のうち、１枚単位の記録が完了するのにかかる最大の所要時間よりも長い時間で設定される。また、１枚単位の記録にかかる時間は、印刷設定（例えば、給紙する給紙口等の印刷設定等）に応じて変動し、その時間にばらつきがあるため、さらに、第３の電力供給タイムアウト時間を設定する。
【００５４】
ここでは、この第３の電力供給タイムアウト時間を、第２の電力供給タイムアウト時間よりも短く、第１の電力供給タイムアウト時間よりも長く設定する。そして、印刷処理におけるタイムアウト時間として、印刷ジョブの印刷設定情報に応じて、第２又は第３の電力供給タイムアウト時間を選択する。
【００５５】
この第２及び第３の電力供給タイムアウト時間は、主として、記録装置１の給紙口設定と、用紙が給紙口から排出されるまでの搬送路距離と、最大用紙サイズと、記録時の最低搬送速度とを考慮し、設定される。詳細は、図９を用いて、後述する。
【００５６】
なお、印刷処理における電力供給タイムアウト時間として、上述の第２及び第３の電力供給タイムアウト時間に必ずしも限定されない。したがって、記録装置１が提供する印刷設定に応じた１枚単位の記録時間に合わせて、電力供給タイムアウト時間を設定する構成としてもよい。
【００５７】
また、上述では、第２及び第３の電力供給タイムアウト時間を、給紙口設定と、搬送路距離と、最大用紙サイズと、記録時の最低搬送速度に基づいて設定すると説明したが、以下のいずれか又は全てを考慮して設定してもよい。
（１）記録媒体の搬送時の斜行を補正するレジ取り制御時間
（２）搬送のリトライ制御時間
（３）片面又は両面印刷設定時における搬送路距離
（４）高精細印刷モード等の印刷品位を示す印刷品位情報
（５）記録する画像データの濃度が高く、インク使用量が多い場合に、瞬間の消費電力を抑えるために搬送時間を変更する制御
（６）記録媒体に付与されたインクによる用紙変形（例えば、カール等）を抑制するための搬送を停止又は減速する制御、印刷Ｄｕｔｙ（印刷デューティ）から用紙を搬送する速度を変更する制御等の印刷品位の向上を目的とした印刷品位の安定化制御
（７）記録装置１における記録時（搬送時）の静音化を目的としたサイレントモード設定による搬送速度の変更
（８）記録媒体（用紙）の搬送精度を補正する搬送パラメータによる搬送補正
（９）ＣＰＵがプログラムを実行するときの処理時間
（１０）記録媒体の１枚単位（単位枚数あたり）の記録にかかる所要時間に関連する設定項目
【００５８】
その他、電源ＶＨ＿ＳＷのオン時又はオフ時に設定された電圧値を満たしていない場合や、電力供給タイムアウト時間を超過して電源ＶＨ＿ＳＷのオン状態が継続された場合、装置としてエラー状態となり、電源ＶＨ＿ＳＷを速やかにオフして動作を停止する。
【００５９】
以上のように、第２画像処理コントローラユニット９２０は、印刷設定に応じて、電力供給タイムアウト時間を設定（導出）する。即ち、第２画像処理コントローラユニット９２０は、例えば、給紙口設定と、搬送路距離と、最大用紙サイズと、記録時の最低搬送速度等から電力供給タイムアウト時間をその都度、算出し、その算出した電力供給タイムアウト時間を記録動作前に設定する。或いは、第２画像処理コントローラユニット９２０は、記録装置１において設定可能な印刷設定に電力供給タイムアウト時間を関連付けて予め記憶し、印刷ジョブを受信すると、その印刷ジョブの印刷設定に基づいて電力供給タイムアウト時間を設定（決定）する。
【００６０】
以下、印刷設定のうち、給紙口設定に電力供給タイムアウト時間を関連付けて予め記憶し、印刷設定（給紙口設定）に基づいて電力供給タイムアウト時間を設定する例について、図８及び図９を用いて説明する。なお、図８及び図９において、給紙口として第１カセット、第２カセット、マニュアルフィード部（ＭＦ部）を想定し、また、電力供給タイムアウト時間として、上述の第２の第力供給タイムアウト時間と第３の電力供給タイムアウト時間を想定する。
【００６１】
図８は、印刷処理において、電力供給タイムアウト時間を設定する処理の手順を示すフローチャートである。ステップＳ１０において、コントローラユニット９００は、ホスト装置４００から印刷ジョブを受信する。ステップＳ２０において、プリントエンジンユニット９４０は、印刷設定情報を受信する。ステップＳ３０において、第２画像処理コントローラユニット９２０は、給紙口がマニュアルフィード部であるかを判定する。
【００６２】
第２画像処理コントローラユニット９２０は、給紙口がマニュアルフィード部であると判定すると（Ｓ３０ Ｙｅｓ）、ステップＳ４０において、第２の電力供給タイムアウト時間を設定する。また、第２画像処理コントローラユニット９２０は、給紙口がマニュアルフィード部以外であると判定すると（Ｓ３０ Ｎｏ）、ステップＳ５０において、第２の電力供給タイムアウト時間より短い第３の電力供給タイムアウト時間を設定する。以下、図９を用いて、ステップＳ３０からステップＳ５０までの処理に関して、説明を補足する。
【００６３】
図９は、印刷処理における電力供給タイムアウト時間を設定するためのパラメータテーブルである。なお、上述の図８のステップＳ３０では、図９のパラメータテーブルにおいて、どの条件に合致するかを判定し、さらに、ステップＳ４０又はＳ５０では、図９のパラメータテーブルから該当する電力供給タイムアウト時間を抽出し、設定する。
【００６４】
図９において、搬送路距離は給紙口から排紙口までの搬送路の距離、最大用紙サイズは給紙カセットに収納できる最大の用紙サイズ、最大用紙サイズ長は最大用紙サイズの搬送方向の長さ、最低搬送速度は給紙部から記録するときの最低の搬送速度を示している。
【００６５】
また、搬送時間合計は、第１カセットから排紙口までの搬送、第２カセットから排紙口までの搬送、マニュアルフィード（ＭＦ）部から排紙口までの搬送の各々に関して、搬送時間が最大となる条件を選定して算出された搬送時間の合計を示している。
【００６６】
加えて、電力供給タイムアウト時間設定は、給紙口がマニュアルフィード部であるか否かに基づいて設定される電力供給タイムアウト時間を示している。具体的には、マニュアルフィード部から排紙口までの搬送に関して、第２の電力供給タイムアウト時間が設定され、第１カセットから排紙口までの搬送及び第２カセットから排紙口までの搬送に関して、第３の電力供給タイムアウト時間が設定される。
【００６７】
なお、第２の電力供給タイムアウト時間として、マニュアルフィード部から排紙口までの条件で算出された値（４２．６４［ｓ］）に対して、小数点以下を繰り上げた値（４３［ｓ］）に設定している。また、第３の電力供給タイムアウト時間として、第２カセットから排紙口までの条件で算出された値（７．４３［ｓ］）に対して、小数点以下を繰り上げた値（８［ｓ］）に設定している。これは、第１カセットから排紙口までの条件で算出された値（５．２３［ｓ］）と第２カセットから排紙口までの条件で算出された値（７．４３［ｓ］）の差が比較的小さいことから、双方を第３の電力供給タイムアウト時間として分類できるためである。また、第１カセットから排紙口までの条件で算出された値と第２カセットから排紙口までの条件で算出された値のうち、搬送時間の合計として長くなる方を選択する必要があるため、第２カセットから排紙口までの条件で算出された値を採用している。
【００６８】
その他、本実施形態では、給紙口毎に最大の搬送時間を算出し、電力供給タイムアウト時間を設定したが、必ずしもこれに限定されることはない。したがって、例えば、同じ給紙口であっても、上述の電力供給タイムアウト時間を設定する条件に応じて、電力供給タイムアウト時間を個別に設定して適用する構成としてもよい。
【００６９】
以上の構成を用いることで、印刷設定によって印刷制御にかかる時間に比較的差がある場合でも、印刷設定に応じた適切な電力供給タイムアウト時間を設定することができる。そのため、記録ヘッドに不要な負荷電力をかけることを防ぐことができ、記録ヘッドの耐久性を向上させることができる。
【００７０】
その他、記録ヘッド８の吐出口近傍を保温する制御において、吐出口近傍に複数配置されているサブヒータをクロックと同期させ、ＰＷＭ制御を用いてオン又はオフする。このクロックに関して、非記録時においては内部回路で生成された内部クロックが利用され、記録時においては記録領域Ｐの直前に配置されている搬送ローラの回転軸に設置しているエンコーダの入力信号が利用されるように構成される。
【００７１】
このクロックの非記録時から記録時への切り替えは、記録媒体Ｓが記録領域Ｐに進入するタイミングで行われる。具体的には、記録領域Ｐの直前の搬送経路上に設けられている用紙検出センサで記録媒体Ｓの先端部を検出し、記録媒体Ｓを用紙検出センサから記録領域Ｐまで搬送したタイミングでエンコーダの入力信号に切り替える構成としている。なお、記録領域Ｐの直前に配置されている搬送ローラによる記録媒体Ｓのレジ取り制御が完了し、記録媒体Ｓの搬送動作開始タイミングから記録領域Ｐまで搬送したタイミングでエンコーダの入力信号に切り替える構成としてもよい。
【００７２】
記録時において、エンコーダの入力信号にクロックを切り替えると、印刷制御が完了するまで、エンコーダの入力信号を用いて記録ヘッド８の保温制御を行う。なお、記録時において、記録媒体Ｓの搬送中にジャムが発生した場合、搬送制御が停止し、エンコーダの入力信号も停止することに備えて、記録ヘッド８への電力供給をオフ状態に切り替える。但し、ジャムの発生した個所が搬送経路上の上流であり、下流において記録媒体Ｓの搬送が行える場合には、電力供給をオフ状態へは切り替えず、印刷制御が完了してから電力供給をオフ状態に切り替える。
【００７３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７４】
１    インクジェット記録装置
９２０    第２画像処理コントローラユニット
１０４３    ＦＥＴ
１０５１    電源ユニット
８    記録ヘッド
【図１】
2020059148.tif 000003
【図２】
2020059148.tif 000004
【図３】
2020059148.tif 000005
【図４】
2020059148.tif 000006
【図５】
2020059148.tif 000007
【図６】
2020059148.tif 000008
【図７】
2020059148.tif 000009
【図８】
2020059148.tif 000010
【図９】
2020059148.tif 000011